(57)【要約】      （修正有）【課題】任意に特定サイズに組立可能なバックライトモジュール構造を提供する。【解決手段】本並列式バックライトモジュール構造１は、複数のＬＥＤボード２、複数の放熱フィン、複数の連接部品、複数の取付けフレームバー及び複数の液晶サポートフレームを包含する。これら放熱フィンは、相互に近接設置され、該連接部品は、任意の二つの隣接する放熱フィンの接合部分に固定され、これら取付けフレームバーはすでに並列接続されたこれら放熱フィンの周縁に取付けられ、これらＬＥＤボードは、既に並列接続されたこれら放熱フィンの内側に取付けられ、該液晶サポートフレームは、該取付けフレームバーに固定される。放熱フィン、連接部品、取付けフレームバー及びＬＥＤボードの並列接続機構の設置により、任意に特定サイズに組み立てられる高輝度バックライトモジュール構造である。【選択図】図７
0003170078.tif 000002
【実用新案登録請求の範囲】
【請求項１】
並列式バックライトモジュール構造において、複数のＬＥＤボード、複数の放熱フィン、及び複数の取付けフレームバーを包含し、これら放熱フィンは、相互に近接設置され、これら取付けフレームバーはすでに並列接続されたこれら放熱フィンの周縁に取付けられ、これらＬＥＤボードは、既に並列接続されたこれら放熱フィンの内側に取付けられることを特徴とする、並列式バックライトモジュール構造。
【請求項２】
請求項１記載の並列式バックライトモジュール構造において、複数の連接部品をさらに包含し、これら連接部品は、任意の二つの隣接する放熱フィンの接合部分に固定されることを特徴とする、並列式バックライトモジュール構造。
【請求項３】
請求項２記載の並列式バックライトモジュール構造において、これらＬＥＤボードの背面に導熱パッドが設置されたことを特徴とする、並列式バックライトモジュール構造。
【請求項４】
請求項３記載の並列式バックライトモジュール構造において、これら取付けフレームバーは、横向きフレームバー、縦向きフレームバー、接合フレームバー及び角部フレームバーを指すことを特徴とする、並列式バックライトモジュール構造。
【請求項５】
請求項３記載の並列式バックライトモジュール構造において、複数の液晶サポートフレームをさらに包含し、該液晶サポートフレームは、該取付けフレームバーに固定されることを特徴とする、並列式バックライトモジュール構造。
【請求項６】
請求項５記載の並列式バックライトモジュール構造において、これら取付けフレームバーは、横向きフレームバー、縦向きフレームバー、接合フレームバー及び角部フレームバーを指すことを特徴とする、並列式バックライトモジュール構造。
【考案の詳細な説明】
【技術分野】
【０００１】
本考案は一種の並列式バックライトモジュール構造に係り、特に並列接続式構造を利用して特定サイズに組立られる高輝度バックライトモジュール構造。
【背景技術】
【０００２】
伝統的な商業広告パネルのバックライトモジュールの多くは輝度は５００−８００ルミナスしかなく、ゆえにバックライトモジュール構造上、ＬＥＤボードが直接取付けフレームにネジ止めされ、並びに取付けフレームとＬＥＤボードの接触により、ＬＥＤボードの発光時の高温、高熱が空気中に導出されて散逸し、これにより放熱の効果を達成する。
【０００３】
しかし、消費者のパネルの現出する画面の色彩の鮮やかさと明晰度の要求に伴い、バックライトモジュールもさらに高い照明輝度を提供しなければならなくなった。このため、伝統的な取付けフレームは短時間内にスピーディーにＬＥＤボードの高温、高熱を伝導する要求を達成できない。周知の商業広告パネルのバックライトモジュールに使用されている取付けフレームは、バックライトモジュールが組み合わされるパネルの実際のサイズに合わせて別に型を製造しなければならず、ゆえに、パネルメーカーの全シリーズのサイズのパネルに組み合わせる必要があると、取付けフレームの型製造費用は膨大となる。
【考案の概要】
【考案が解決しようとする課題】
【０００４】
本考案は、放熱フィン、連接部品、取付けフレームバー、及びＬＥＤボードの並列接続が可能な機構の設置により、任意に特定サイズに組立可能なバックライトモジュール構造を提供する。
【課題を解決するための手段】
【０００５】
本考案の並列式バックライトモジュール構造は、複数のＬＥＤボード、複数の放熱フィン、複数の連接部品、複数の取付けフレームバー及び複数の液晶サポートフレームを包含する。これら放熱フィンは、相互に近接設置され、該連接部品は、任意の二つの隣接する放熱フィンの接合部分に固定され、これら取付けフレームバーはすでに並列接続されたこれら放熱フィンの周縁に取付けられ、これらＬＥＤボードは、既に並列接続されたこれら放熱フィンの内側に取付けられ、該液晶サポートフレームは、該取付けフレームバーに固定される。
【考案の効果】
【０００６】
本考案は放熱フィン、連接部品、取付けフレームバー及びＬＥＤボードの並列接続機構の設置により、任意に特定サイズに組み立てられる高輝度バックライトモジュール構造である。
【図面の簡単な説明】
【０００７】
【図１】本考案の放熱フィンと連接部品の部分部品分解図である。
【図２】本考案の放熱フィンと連接部品の部分部品組合せ図である。
【図３】本考案の放熱フィンと連接部品の組合せ図である。
【図４】本考案の放熱フィンと連接部品及び取付けフレームバーの組合せ図（一）である。
【図５】本考案の放熱フィンと連接部品及び取付けフレームバーの組合せ図（二）である。
【図６】本考案のＬＥＤボードの立体図である。
【図７】本考案の立体図である。
【図８】本考案の局部構造図である。
【図９】本考案の液晶パネル、外フレームの部品分解図である。
【図１０】本考案の実施例図である。
【考案を実施するための形態】
【０００８】
本考案の技術内容、構造特徴、達成する目的を詳細に説明するため、以下に実施例を挙げ並びに図面を組み合わせて説明する。
【０００９】
図１から図１０を参照されたい。本考案は一種の並列式バックライトモジュール構造であり、それは、複数のＬＥＤボード２、複数の放熱フィン３、複数の連接部品４、複数の取付けフレームバー及び複数の液晶サポートフレーム６を包含する。これら放熱フィン３は、相互に近接設置される。該連接部品４は、任意の二つの隣接する放熱フィンの接合部分に固定される。これら取付けフレームバーはすでに並列接続されたこれら放熱フィン３の周縁に取付けられる。これらＬＥＤボード２は、既に並列接続されたこれら放熱フィン３の内側に取付けられる。該液晶サポートフレーム６は、該取付けフレームバーに固定される。
【００１０】
そのうち、該ＬＥＤボード２の背面に、導熱パッド２２が設置される。これら取付けフレームバーは、横向きフレームバー５１と縦向きフレームバー５２、接合フレームバー５３及び角部フレームバー５４を使用する。該並列式バックライトモジュール構造１は、これら液晶サポートフレーム６と外フレーム７２を利用して液晶パネル７１に取付けられ、並びに組み立てられて一つのパネルモジュール８とされる。
【００１１】
該並列式バックライトモジュール構造１は、これら放熱フィン３、これら連接部品４及びこれら取付けフレームバーを利用することで、任意の特定サイズの、これらＬＥＤボード２を固定可能な機構アセンブリを組み立てることができ、これにより該並列式バックライトモジュール構造１は各種サイズの液晶パネル７１に組合せ可能である。
【００１２】
これら放熱フィン３は、さらに大きな面積の放熱エリアを提供でき、一般の、ＬＥＤボードを固定するのに用いられる平面の取付けフレームに較べ、さらに高く、さらにスピーディーな熱伝導効果を有する。これにより、その他の補助放熱装置を増設する必要がない。且つ周知の取付けフレームとは異なり、組み合わされる異なるサイズの液晶パネル７１により別個に型を製造する煩瑣なプロセスと高額な型製作費用を必要としない。
【００１３】
ゆえに、該並列式バックライトモジュール構造１は、高輝度のバックライトモジュール設計の応用に適合し、且つ軽薄な機構サイズを維持でき、並びに大幅に型製作のコストを節約できる。
【００１４】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【符号の説明】
【００１５】
１  バックライトモジュール構造
２  ＬＥＤボード
２１  ＬＥＤ
２２  導熱パッド
３  放熱フィン
４  連接部品
５１  横向きフレームバー
５２  縦向きフレームバー
５３  接合フレームバー
５４  角部フレームバー
６  液晶サポートフレーム
７１  液晶パネル
７２  外フレーム
８  パネルモジュール
【図１】
0003170078.tif 000003
【図２】
0003170078.tif 000004
【図３】
0003170078.tif 000005
【図４】
0003170078.tif 000006
【図５】
0003170078.tif 000007
【図６】
0003170078.tif 000008
【図７】
0003170078.tif 000009
【図８】
0003170078.tif 000010
【図９】
0003170078.tif 000011
【図１０】
0003170078.tif 000012